(57)【特許請求の範囲】
【請求項１】
ハロゲンガス遊離性薬剤を収納して密封する包装袋であって、該包装袋が、未延伸ポリプロピレン層と延伸ポリプロピレン層とを有する積層体から形成されており、該積層体の平均厚さが５０〜１００μｍの範囲内にあり、該積層体における未延伸ポリプロピレン層と延伸ポリプロピレン層との平均厚さの比が、５：４〜２：１の範囲内にあり、該包装袋の内側に未延伸ポリプロピレン層が配置され、さらに、該積層体の表面に包装ハロゲンガス遊離性薬剤の必要事項を印刷するため、印刷下地層を形成する白色無機顔料を含有する遮光性の無機インクを塗設することで、印刷用有機インクがハロゲンガスにより退色されることを緩和、有効に防止することができるようになされていることを特徴とするハロゲンガス遊離性薬剤の包装袋。
【請求項２】
上記ハロゲンガス遊離性薬剤の包装袋の縁部に、延伸ポリプロピレンの延伸方向に沿ってノッチが形成されていることを特徴とする請求項第１項記載のハロゲンガス遊離性薬剤の包装袋。
【請求項３】
上記ハロゲンガス遊離性薬剤の包装袋が、未延伸ポリプロピレン層と延伸ポリプロピレン層との積層体を未延伸ポリプロピレンが内側に位置するように重ね合わせた積層体の周縁部をヒートシールすることにより袋状に形成されていることを特徴とする請求項第１項記載のハロゲンガス遊離性薬剤の包装袋。
【請求項４】
上記ハロゲンガス遊離性薬剤の包装袋の表面に遮光性塗料が塗布されていることを特徴とする請求項第１項記載のハロゲンガス遊離性薬剤の包装袋。
【請求項５】
ハロゲンガス遊離性薬剤と、該ハロゲンガス遊離性薬剤を収納して密封する包装袋からなる包装ハロゲンガス遊離性薬剤であって、該包装袋が、未延伸ポリプロピレン層と延伸ポリプロピレン層とを有する積層体から形成されており、該積層体の平均厚さが５０〜１００μｍの範囲内にあり、該積層体における未延伸ポリプロピレン層と延伸ポリプロピレン層との平均厚さの比が、５：４〜２：１の範囲内にあり、該包装袋の内側に未延伸ポリプロピレン層が配置されており、さらに、該積層体の表面に包装ハロゲンガス遊離性薬剤の必要事項を印刷するため、印刷下地層を形成する白色無機顔料を含有する遮光性の無機インクを塗設することで、印刷用有機インクがハロゲンガスにより退色されることを緩和、有効に防止することができるようになされていることを特徴とする包装ハロゲンガス遊離性薬剤。
【請求項６】
上記ハロゲンガス遊離性薬剤が、ジクロロイソシアヌル酸ナトリウム、トリクロロイソシアヌル酸ナトリウム、ジクロロイソシアヌル酸カリウムおよび次亜塩素酸ナトリウムよりなる群から選ばれる少なくとも一種類の化合物であることを特徴とする請求項第５項記載の包装ハロゲンガス遊離性薬剤。
【請求項７】
上記ハロゲンガス遊離性薬剤が、該薬剤を所定容量の水槽中の水に溶解させたときに、該水槽中の水に含有されるハロゲン化物濃度が０．５〜１０００ppmの範囲内になる量に独立して密封包装されていることを特徴とする請求項第５項記載の包装ハロゲンガス遊離性薬剤。
【発明の詳細な説明】
【０００１】
【発明の技術分野】
本発明は、塩素ガスなどのハロゲンガスが一定条件下で遊離する特性を有する薬剤を包装するための包装袋およびこのようなハロゲンガス遊離性薬剤とこのハロゲン遊離性薬剤を安定に密封内包する包装袋とからなる包装ハロゲンガス遊離薬剤に関する。
【０００２】
【従来技術】
腎臓に重い疾患を有する患者は、例えば週に３回程度、定期的に人工透析を長期間継続して行うことが必要であり、その都度、血管に注射針を刺していたのでは，患者に与える影響が大きくなりすぎることから、近時、四肢など比較的日常生活にとって影響の少ない位置にＡ-Ｖシャントを形成し、こうしてＡ-Ｖシャントを形成することにより皮下に浮き出た血管にカテーテルを挿入し、このカテーテルの体外に導出された先端部に人工透析装置の循環系の管の先端部を接合させて人工透析患者の負担の軽減が図られている。このような場合、導出されているカテーテルと皮膚との接触部分では、雑菌によって炎症或いは化膿しやすい。また、大腸癌などにより人工肛門を形成する際には、大腸にドレーンを接合し、このドレーンの先端を体外に導出する場合にも同様にドレーンの導出部分と皮膚との接触部分は、雑菌によって炎症しやすく、またこうした部分では雑菌による炎症が化膿に発展しやすい。
【０００３】
上記腎臓疾患、人工肛門などに限らず、体内から管体を体外に導出している場合には、この皮膚と導出されている管体の接合部分における炎症或いは化膿の防止は、上記のような慢性疾患を有する患者にとって非常に重要なことである。
このような慢性疾患を有しているにも拘わらず、健康人と同等に活動し、それぞれの分野において活躍している人も多い。このような体内から管体を体外に導出している慢性疾患の患者において、健康人と同等に活動するためには、健康人とほぼ同様に通常生活を送ることが重要である。
【０００４】
こうした慢性疾患の患者において、体内から体外に導出されている管体と皮膚との接触分は、定期的に消毒し、雑菌の少ないガーゼなどで、この部分を被覆することにより、通常の生活にはそれほど重大な負担にはなりにくい。しかしながら、体内から体外に導出されている管体を有していても入浴をする必要があり、この場合には皮膚と管との接触部が湯浴と接触する。浴槽の湯は、細菌学的に言って必ずしも清潔であるとは言い難く、こうした入浴をきっかけにして皮膚と管との接触部が炎症することがある。
【０００５】
従って、体内からの導出管を有する人が入浴する際には、浴槽の湯に殺菌剤を投入して、浴槽内の湯水を殺菌し、感染を防止するという方法が採用されている。
このような殺菌剤としては、湯に投入することにより塩素ガスのような殺菌性を有するガスが放出される程度の安定性を有するハロゲン遊離性薬剤が使用されている。
【０００６】
ところで、このような浴槽の容積はある程度規格化されており、従って、その浴槽に蓄えられる湯水の量が著しく相違することは少ない。また、上記のようなハロゲン遊離性薬剤から遊離して湯中に存在することが許容されるハロゲン化物の濃度も、ある幅を持った一定の濃度に調整することが好ましい。
こうした使用の形態を考慮すると、ハロゲン遊離性薬剤を一回に使用する量に小分けして包装することにより、その患者の使用する浴槽は通常は同じものであるから、常に一定したハロゲン化物濃度の湯浴を形成することが可能になる。
【０００７】
一般に、ハロゲン遊離性薬剤は、光に対して安定性が低く、従って、ハロゲン遊離性薬剤を包装するために用いる包装材料としては、光不透過性のフィルムなどの使用が考えられる。フィルムを光不透過性にするには、アルミニウムのような金属の蒸着層を有する樹脂フィルムあるいは金属箔からなる層を有する樹脂フィルムを包装材料とするのが最も効率的である。こうした観点から、本発明者もアルミニウム蒸着樹脂フィルムおよび金属箔からなる層を有する樹脂フィルムを用いてハロゲン遊離性薬剤を密封包装したところ、このハロゲン遊離性薬剤を内包する包装体が非常に短時間で膨れ上がり、この包装袋の一部が破裂するという事態を生じ、従って、金属蒸着樹脂フィルムまたは金属箔からなる層を有する樹脂フィルムは遮光性に優れるものの、ハロゲン遊離性薬剤の密封袋として使用することはできない。
【０００８】
【発明の目的】
本発明は、常温においてわずかにハロゲンガスを遊離する特性を有するハロゲンガス遊離性薬剤を安全に包装するための密封袋を提供することを目的としている。
また、本発明は、一回の使用量に小分けされて安全に密封包装されたハロゲンガス遊離性薬液を提供することを目的としている。
【０００９】
【発明の概要】
本発明のハロゲンガス遊離性薬剤の包装袋は、ハロゲンガス遊離性薬剤を収納して密封する包装袋であって、該包装袋が、未延伸ポリプロピレン層と延伸ポリプロピレン層とを有する積層体から形成されており、該積層体の平均厚さが５０〜１００μｍの範囲内にあり、該積層体における未延伸ポリプロピレン層と延伸ポリプロピレン層との平均厚さの比が、５：４〜２：１の範囲内にあり、該包装袋の内側に未延伸ポリプロピレン層が配置され、更に、該積層体の表面に包装ハロゲンガス遊離性薬剤の必要事項を印刷するため、印刷下地層を形成する白色無機顔料を含有する遮光性の無機インクを塗設することで、印刷用有機インクがハロゲンガスにより退色されることを緩和、有効に防止することができるようになされていることを特徴としている。
【００１０】
また、本発明の包装ハロゲンガス遊離性薬剤は、ハロゲンガス遊離性薬剤と、該ハロゲンガス遊離性薬剤を収納して密封する包装袋からなる包装ハロゲンガス遊離性薬剤であって、該包装袋が、未延伸ポリプロピレン層と延伸ポリプロピレン層とを有する積層体から形成されており、該積層体の平均厚さが５０〜１００μｍの範囲内にあり、該積層体における未延伸ポリプロピレン層と延伸ポリプロピレン層との平均厚さの比が、５：４〜２：１の範囲内にあり、該包装袋の内側に未延伸ポリプロピレン層が配置されていることを特徴としている。
【００１１】
本発明の包装袋は、常温において非常にわずかづつではあるがハロゲンガスを遊離するという特性を有するハロゲンガス遊離性薬剤を小分けして安全に包装するための包装袋である。即ち、上記のようなハロゲンガス遊離性薬剤を密封すると非常にわずかづつではあるがハロゲンガスに分解し、このようなハロゲンガスが包装袋内の内圧を上昇させて、最悪の場合、ハロゲンガス遊離性薬剤を内包する包装袋が破裂することがある。こうした薬剤におけるハロゲンガスの遊離は、光、熱などに、特に光によって促進されることから、遮光性の高い金属蒸着層を有する包装材料を用いて密封包装することにより、その遊離ハロゲンガス量の低減を図ることが可能である。例えばアルミニウム蒸着層を有するプラスチックフィルムを用いてハロゲンガス遊離性薬剤を包装すると、光によるハロゲンガスの遊離反応を有効に抑制することができる。しかしながら、上記のようなハロゲンガス遊離性薬剤におけるハロゲンガス遊離反応は、光によって促進されるのであり、遮光することにより光によるハロゲンガス遊離反応の促進効果は抑制することはできるが、ハロゲンガスの遊離自体を停止させることはできない。逆に金属蒸着層とハロゲンガス遊離性薬剤とが接触すると、ハロゲンガス遊離性薬剤からのハロゲンガスの遊離反応は著しく促進される。従って、ハロゲンガス遊離性薬剤を密封保存する際にはハロゲンガス遊離性薬剤が金属蒸着層と直接接触しないように、金属蒸着層の表面を樹脂フィルムで被覆して使用することが必要になる。ところが、このようにして金属蒸着層を有するフィルムは、金属蒸着層が存在することにより非常に高いガスバリア性を有するようになり、こうした金属蒸着層を有する包装材料で形成した包装袋にハロゲンガス遊離性薬剤を密封保存すると、包装袋内のガスが包装袋外に放出されることはない。包装袋内には、必然的に空気が含まれ、さらにハロゲンガス遊離性薬剤の分解によって生ずるハロゲンガスが含まれる。そして、このハロゲンガスの分圧は、時間の経過と共に高くなり、包装袋内の内部圧力が包装袋の強度を超えると包装袋が破裂する。
【００１２】
本発明者の検討により、上記のような理由からハロゲンガス遊離性薬剤を小分けした包装には、遮光性を有する金属蒸着層または金属箔層を有する包装材料は適していないことがわかった。
さらに、湯浴中に投入して殺菌効果を有するようなハロゲンガス遊離性薬剤は、経時的にわずかづつハロゲンガスを遊離する程度のハロゲン原子の安定性（不安定性）を有する化合物でなければ有効な殺菌効果を期待することができない。従って、ハロゲンガス遊離性薬剤を小分けして密封包装した場合には、経時的に包装袋内のガス圧が高くなることを回避するのは実質的に不可能である。そうしてみると、このようにハロゲンガス遊離性薬剤を小分けして密封包装した包装ハロゲンガス遊離性薬剤では、包装袋の内圧がある程度高くなったときに、その圧力を低減するように包装袋内のガスを放出可能な包装材料を用いて包装袋を形成する必要があることがわかった。
【００１３】
そして、包装されるハロゲンガス遊離性薬剤の安定性と、このハロゲンガス遊離性薬剤から発生するハロゲンガスに起因する包装袋内の内圧、および、包装材料のガス透過性との関係から、特定のポリプロピレンを積層した包装材料を用いて形成した包装袋が、ハロゲンガス遊離性薬剤から発生するハロゲンガスに起因して包装袋内の内圧がある一定の圧力にまで達したときに、包装袋内のガスを効率よく放出して包装袋の破裂を防止できることを見出した。
【００１４】
【発明の具体的な説明】
次に本発明のハロゲンガス遊離性薬剤の包装袋および包装ハロゲンガス遊離性薬剤について、図面を参照しながら具体的に説明する。
図１は、本発明の包装袋を形成する積層体の断面の例を模式的に示す断面図である。図２は、本発明の包装袋の例を模式的に示す斜視図である。図３は、図２に示した包装袋のＡ−Ａ断面図である。図４は、本発明の包装ハロゲンガス遊離薬剤の例を模式的に示す一部切欠き斜視図である。なお、図１〜４において共通の部材には共通の付番が付されている。
【００１５】
図１に本発明のハロゲンガス遊離性薬剤の包装袋を形成する包装材料（積層体）１０の断面図を示す。
図１に示すように本発明で使用する包装材料１０は、未延伸ポリプロピレン層１２と延伸ポリプロピレン層１４とを有する積層体である。この積層体１０の厚さは、通常は５０〜１００μｍ、好ましくは６０〜８０μｍの範囲内にある。本発明の包装体は内部にハロゲンガス遊離性薬剤を含有し、常温でもこのハロゲンガス遊離性薬剤は徐々に分解してハロゲンガスを発生させることから包装袋内の内圧が高くなりこの内圧によって包装袋が破裂しないためには、上記のような厚さの積層体を使用することが好ましく、また、上記範囲を逸脱して厚い積層体を使用するとコスト高になると共にこの包装袋を使用するときに引き裂き開封しにくくなる。また、この積層体１０は、通常は、未延伸ポリプロピレン層１２と延伸ポリプロピレン層１４との間に接着剤層などの層を介することなく積層されている。本発明では、この積層体１０を用いて未延伸ポリプロピレン層１２を内側にして包装袋を形成するが、この包装袋を形成する際に縁部を熱圧着することによって袋状にすることから、未延伸ポリプロピレン層１２の表面１５は、ヒートシール可能なように表面処理されていることが好ましい。
【００１６】
この積層体１０を形成する未延伸ポリプロピレン層１２は、プロピレンから誘導される繰り返し単位を通常は８０モル％以上、好ましくは９０モル％以上有する重合体であり、プロピレン単独重合体であってもよいし、通常は２０モル％以下、好ましくは１０モル％以下の量で、エチレンから誘導される繰り返し単位および／または他のα-オレフィンから誘導される繰り返し単位を有する共重合体であってもよい。
【００１７】
この積層体１０を形成するもう一方のポリプロピレン層である延伸プロピレン１４は、上記未延伸ポリプロピレン層１２と同様に、プロピレンから誘導される繰り返し単位を通常は８０モル％以上、好ましくは９０モル％以上有する重合体であり、プロピレン単独重合体であってもよいし、通常は２０モル％以下、好ましくは１０モル％以下の量で、エチレンから誘導される繰り返し単位および／または他のα-オレフィンから誘導される繰り返し単位を有する共重合体であってもよい。この延伸ポリプロピレン層を形成するポリプロピレンは、上記のようなポリプロピレンを延伸処理することにより得られる。ポリプロピレンの延伸には一軸延伸と二軸延伸があるが、本発明では一軸延伸フィルムおよび二軸延伸フィルムのいずれをも使用することができる。ただし、形成される包装袋の引き裂き開封性を考慮すると一軸延伸フィルムを使用することが好ましい。この延伸フィルムとしては、原反の長さを１００％として表す延伸倍率で、通常は１１０〜５００％、好ましくは１１０〜３００％、特に好ましくは１２０〜２５０％の範囲の延伸倍率を有する延伸フィルムを好適に使用することができる。
【００１８】
上記のよう未延伸フィルム１２と延伸フィルム１４とを加熱下に加圧することにより上記積層体１０を形成することができる。
本発明では、こうした形成された積層体における未延伸ポリプロピレン層１２と延伸ポリプロピレン層１４との平均厚さの比を、５：４〜２：１の範囲内にすることが必要であり、さらにこの平均厚さの比を１０：７〜８：５の範囲内にすることにより、包装袋内の内圧の低減に特に優れた効果を示す。
【００１９】
本発明のハロゲンガス遊離性薬剤の包装袋２０は、図２および図３に示すように、上記の積層体１０を重ねあわせ、好ましくは、積層体１０を未延伸ポリプロピレン層１２を内側にして、折り畳み、二方の縁部２２，２４をヒートシールすることにより袋状に形成することができる。また、2枚の積層体１０を重ね合わせた場合には、３方をヒートシールする。なお、こうして形成された包装袋２０における一方の縁部２５aは、ハロゲンガス遊離性薬剤を充填するためにヒートシールさせずに開放部２５を形成している。
【００２０】
上記のように二方の縁部２２、２４は、通常は１９０〜２５０℃、好ましくは１８５〜２２０℃の温度に加熱されたヒートシールバーを、加圧下に、ヒートシールされる縁部２２，２４に、通常は０．１〜５秒間、好ましくは０．５〜１秒間当接して加熱圧着することによりヒートシールすることができる。なお、このときのヒートシール部の幅は、通常は２〜８ｍｍ、好ましくは３〜６ｍｍである。ヒートシール幅を上記範囲とすることにより、包装袋内の内圧が高くなっても、このヒートシール部が剥離して内部ガスが漏出することはない。
【００２１】
また、この包装体２０の長手方向のヒートシールされた縁部２２にはノッチ２６が形成されていることが好ましい。このノッチ２６は、この包装袋２０を形成している延伸ポリプロピレンフィルム１４の延伸方向に沿って包装袋を切り裂けるように形成することが好ましい。従って、ノッチ２６の形成方向は、通常は延伸ポリプロピレンフィルムの延伸方向と略同一の方向である。
【００２２】
こうして形成された未延伸ポリプロピレン層１２を内側にして延伸プロピレン層１４を外側に積層体１０から形成された包装袋２０は、空気の自由流通は防止できる程度のガスバリア性は有しているが、それほど良好なガスバリア性は有しておらず、包装袋内にあるガスに圧力がかかった際には、内部にあるガスは、この積層体１０を透過して所定の内圧になるまで放出される。
【００２３】
本発明の包装ハロゲンガス遊離性薬剤３０は、上記のような包装袋にハロゲンガス遊離性薬剤４０が充填されて密封されてなる。
ここでハロゲンガス遊離性薬剤は、液体であっても固体で合ってもよく、このようなハロゲンガス遊離性薬剤の例としては、ジクロロイソシアヌル酸ナトリウム、トリクロロイソシアヌル酸ナトリウム、ジクロロイソシアヌル酸カリウムおよび次亜塩素酸ナトリウムなどの化合物（固体状の化合物）を挙げることができる。上記ハロゲンガス遊離性薬剤は単独で或いは組み合わせて使用することができる。
【００２４】
特に本発明の包装ハロゲンガス遊離性薬剤を体内から管体を体外に導出している人の入浴時の湯浴の殺菌に使用する場合には、ジクロロイソシアヌル酸ナトリウム、トリクロロイソシアムル酸ナトリウムなどの固体状の化合物を使用することが好ましい。特に本発明ではハロゲンガスとして塩素ガスを遊離する特性を有する化合物を使用することが好ましく、その安定性から、ジクロロイスシアヌル酸ナトリウムが特に好ましい。このようなハロゲンガス遊離性薬剤４０は、液体であっても、固体であってもよいが、このハロゲンガス遊離性薬剤４０が固体である場合に、このハロゲンガス有機性薬剤４０は粉末であってもよいし、顆粒状であってもよいし、また、錠剤のように所望の形状に付形されたものであってもよい。即ち、このハロゲンガス遊離性薬剤４０は、通常の場合、湯水に投入して速やかに溶解し、殺菌効果のあるハロゲンガスを湯水中に放出するのに好適な形態を有していることが好ましく、例えば平均粒子径が０．０１〜３mm、好ましくは０．０５〜２mmの顆粒状にすることにより、ハロゲンガス遊離性薬剤は非常に速やかに湯水に分散する。また、ハロゲンガスを一定量ずつ一定時間放出させ続けるためには錠剤状に賦形するとよい。このように錠剤状に賦形したハロゲンガス遊離性薬剤は、錠剤の大きさおよび錠剤に賦形するための賦形剤を選択することにより、その崩壊時間、即ち、ハロゲンガスを供給する時間を調整することが可能である。
【００２５】
一般家庭で使用される浴槽の容積は、１００〜３００リットル程度である。本発明の包装ハロゲンガス遊離性薬剤は、こうした浴槽中の湯水に溶解させたときに、この水槽中の湯水に含有されるハロゲン化物の濃度が、通常は０．１〜１００ppm、好ましくは０．５〜５ppmの範囲内になるように一つの包装袋に小分けして密閉包装されていることが好ましい。通常使用されている家庭用の平均的な浴槽の容量から算出されるハロゲンガス遊離性薬剤の１包装袋に収容される量は、例えばハロゲンガス遊離性薬液がジクロロイソシアヌル酸ナトリウムである場合、通常は１００〜１０００ｍｇ程度、好ましくは５００ｍｇ±１００ｍｇ程度である。従って、使用の度毎に計量して使用するのではなく、浴槽の容積に合わせて予め軽量された所定量のハロゲンガス遊離性薬剤を小分けして包装袋に封入することにより、本発明の包装ハロゲンガス遊離性薬剤の包装袋をノッチ部分から開封して全量を浴槽中の湯水に投入して溶解させて使用することができる。
【００２６】
図４に、本発明の包装ハロゲンガス遊離性薬剤３０の包装袋を一部切欠いた斜視図を示す。この包装ハロゲンガス遊離性薬剤３０は、図２に示すような包装袋２０の開口部２５から上記湯水中におけるハロゲンガス濃度から予め算定した量のハロゲンガス遊離性薬剤を包装袋２０内に充填し、包装袋２０の開口部２５をヒートシールしてハロゲンガス遊離性薬剤を包装袋２０内に密封する。この段階では、包装袋２０内にある気体はほとんどが空気である。こうしてハロゲンガス遊離性薬剤を包装袋２０に入れ密封した包装ハロゲンガス遊離性薬剤は、経時的にハロゲンガス遊離性薬剤４０がわずかづつではあるけれども分解して、密封した包装袋内におけるハロゲンガスの量が多くなり、次第に膨張する。このハロゲンガス遊離性薬剤に起因して分離したハロゲンガスによって包装袋内の圧力が高くなると、分子径の小さいがものから包装袋を形成する積層体を透過して包装袋外部に放出されるものと推定される。通常は、包装袋内にある空気形成気体である窒素、酸素が透過して放出されると考えられる。従って、包装袋が膨張した当初は、ハロゲンガスの放出は、ほとんどなく、ハロゲンガス臭はほとんどしないのが一般的である。そして、空気形成成分である窒素および酸素が放出し終わると、ハロゲンガスが徐々に排出されると推定される。
【００２７】
このような包装ハロゲンガス遊離性薬剤３０の外表面にはこの包装ハロゲンガス遊離性薬剤の名称、用途、容量、使用法など必要事項が印刷されるのが一般的であるが、ポリプロピレン積層体のわずかに白色を帯びた透明なフィルムであるため、製品を識別する印刷が目立ちにくいこと、および、ハロゲンガス遊離性薬剤は、できるだけ直射日光に晒さないことが好ましいので、包装袋の表面にある程度遮光性のあるインクを塗設して印刷下地層３２を形成することが好ましい。この印刷下地層３２は、有機染料あるいは有機顔料を含有すると、積層体を透過してきたハロゲンガス、特に塩素ガスによって退色されてしまうので、こうした透過ガスの影響を受けないように、酸化ケイ素、酸化チタンなどの白色無機顔料を含有するインクを用いて形成することが好ましい。従来の積層フィルムでは、積層フィルム間に印刷を行ってインクの耐傷性などを向上させていたが、本発明の包装袋では、積層体から形成された包装袋の外表面に塗膜を形成することで塩素ガスなどによるインクの退色作用を緩和することができる。こうした白色顔料を塗布した後、有機顔料あるいは染料を含有するインクを用いて印刷を行うと、表面に有色インクで印刷された事項がハロゲンガスによって退色するのを有効に防止することができる。
【００２８】
なお、本発明の包装袋は、上記のような無機白色無機顔料による印刷下時層３２のこの包装袋前面に形成してもよいが、包装袋の一部に印刷下地層２３を形成しない部分３４を設けることが好ましい。この印刷下地層を形成しない部分３４を形成することにより、印刷下地層３２によるハロゲンガスなどの気体の排出が阻害された場合であっても、この印刷下地３２を有していない部分３４からは何の支障もなく包装袋内のガスを放出することができる。また、印刷下地層３２を形成した部分は、包装材用の透明性が失われるので、この部分から包装袋内の状態を観察することはできないが、上述のように印刷下地層３２を形成しない部分３４を作ることによって、包装袋内部の状態をこの印刷下地層を形成しない部分３４から観察することができる。
【００２９】
このように本発明の包装ハロゲンガス遊離薬剤は、一回に使用する量のハロゲンガス遊離性薬剤が計量されて所定の包装袋に密封されており、使用時毎に検量して使用する必要がなく非常に便利である。また、本発明で使用される包装袋は、それほどガスバリヤ性のよくない未延伸ポリプロピレンと延伸プロピレンとからなる積層体を使用していることから、ハロゲンガス遊離性薬剤が経時的に分解することによって包装袋内の内部圧力が高くなると、例えば、内部にあるガスの分子径などに応じて積層体からなる壁面を透過して外部に放出されるものと推測され、この包装袋が、内部圧によって破裂することがない。
【００３０】
しかもポリプロピレンを延伸したフィルムと未延伸のフィルムを使用し、特に特殊な素材を使用するわけでもなく、また、製造方法も包装材料を使用する従来の包装袋の方法を採用することが可能であり、非常に安価にハロゲンガス遊離性薬剤を収納する包装袋および包装ハロゲンガス遊離性薬剤を使用することができる。
【００３１】
本発明のハロゲンガス遊離性薬剤の包装袋および包装ハロゲンガス遊離性薬剤は、上述のような構成を有しているが、本発明はさらに改変することができる。
即ち、本発明において、包装体を形成する積層体は、内側層を形成する未延伸ポリプロピレン層は、相対的に延伸ポリプロピレン層をよりも軟質であり、ガスバリア性は未延伸ポリプロピレン層よりも低い値を示す。他方、外側の層を形成する延伸ポリプロピレンは、相対的に未延伸ポリプロピレン層よりも硬質でガスバリア性は未延伸ポリプロピレン層よりも優れている。しかも両者は同種の（共）重合体である。
【００３２】
このような特性を有する樹脂フィルムを組み合わせた積層体を用いることにより、本発明の包装袋および包装ハロゲンガス遊離性薬剤を精製することが可能となると考えられる。
例えば、
延伸ポリエチレンフィルムと未延伸ポリエチレンフィルムとの組み合わせ、
延伸ポリエステルフィルムと未延伸ポリエステルフィルムとの組みわせ、
延伸ポリアミドフィルムと未延伸ポリアミドフィルムとの組み合わせ、
延伸ポリアクリルアミドフィルムと未延伸ポリアクリルアミドフィルムとの組み合わせ、
延伸ポリ塩化ビニルフィルムと未延伸ポリ塩化ビニルフィルムとの組み合わせ、
延伸ポリエーテルフィルムと未延伸ポリエーテルフィルムとの組み合わせ、
延伸ポリアクリロニトリルフィルムと未延伸ポリアクリロニトリルフィルムとの組み合わせ、
延伸炭化水素ポリマーフィルムと未延伸炭化水素ポリマーフィルムとの組み合わせ、
延伸ポリスチレンフィルムと未延伸ポリスチレンフィルムとの組み合わせ、
延伸ポリサルホンフィルムと未延伸炭化水素ポリサルホンフィルムとの組み合わせ、
延伸ポリ（エチレン／酢酸ビニル）共重合体（EVA）フィルムと未延伸ポリ（エチレン／酢酸ビニル）共重合体（EVA）フィルムとの組み合わせなどを挙げることができる。
【００３３】
即ち、２５℃条件下で密封した包装袋を４０℃条件下で保存した場合、包装袋の内側に、ハロゲンガス透過性が０．０１〜０．１μg/cm2・dayの範囲内にある比較的ガス透過性がよく、かつ柔軟性のある樹脂フィルムからなる内層を配置し、この外側にハロゲンガス透過性が０．００１〜０．０１μg/cm2・dayの範囲内にある比較的ガス透過性の高く、比較的硬質の樹脂フィルムを配置した積層体を用いて包装袋を形成することにより、ハロゲンガス遊離性薬剤から発生するハロゲンガスにより包装袋内の圧力が一定値以上になると、この内部のガスを少量ずつ外部に放出するという特性を有する包装袋を形成することができる。そして、そのときの積層体の平均厚さは、上述のポリプロピレンを用いた積層体の場合と同様に、通常は１０〜３００μｍ、好ましくは５０〜１００μｍの範囲内すると共に、この積層体における外側の層と内側の層との平均厚さの比を、通常は１０：９〜３：１の範囲内、好ましくは５：４〜２：１の範囲内にする。
【００３４】
上記のような構成を有する包装袋にハロゲンガス遊離性薬剤を充填して密封すると、充填物の種類にもよるが、一般に充填密封後数日で包装袋内の圧力と大気圧との間に明確な差が生じ、包装袋内部の圧力が大気圧よりも高くなる。このように包装袋内の圧力が大気圧よりも高くなった時点で、包装袋内にあるガス（空気を構成する窒素ガス、酸素、ハロゲンガス遊離性薬剤の分解によって生じたハロゲンガスなど）のうち分子径などに応じて包装袋の壁面から少量ずつ大気中に放出され始めるものと推定される。そして、本発明の包装袋では、その内部圧力が上昇するに従ってガスの放出量が多くなり、包装袋内の圧力が包装袋を破裂させるほど高くはならない。従って、本発明の包装袋を用いることにより、ハロゲンガス遊離性薬剤をこの包装袋に密封しても、遊離したハロゲンガスに起因する内部圧力の増加による包装袋の破裂は生じない。また、この包装袋は、上述のように樹脂フィルムの積層体から形成されており、この積層体が耐水性を有すると共に、包装袋内の圧力が、大気圧よりも常に高い状態にあるので、大気中の水分を含有した空気がこの包装袋の壁面から包装袋内に侵入することがない。従って、本発明の包装袋内に充填されているハロゲンガス遊離性薬剤が、例えば潮解性を有するような物質であったとしても、包装袋の外部にある水分は本発明の包装袋の壁面から侵入できないので、包装袋内の潮解性薬剤が水分を吸収して粉体状あるいは顆粒状など本来の形態を損なうといったことも有功に防止することができる。
【００３５】
本発明の包装袋は、例えば人工透析患者、人工肛門を有する人のように、体内から管体（管状物）を体外に導出している人の入浴時に湯水を消毒するための薬剤、プールなどの消毒に使用する薬剤のように、経時的にハロゲンガスを少量ずつ遊離するという特性を有する薬剤を密封保存するために好適に使用することができる。また、同様に、入歯洗浄剤のようにハロゲンガス以外のガス、例えば活性を有する酸素などを経時的に少量ずつ遊離するという特性を有する薬剤を密封保存するための包装袋としても使用することができる。
【００３６】
【発明の効果】
本発明のハロゲンガス遊離性薬剤の包装袋は、未延伸ポリプロピレン層と延伸ポリプロピレン層とを有し平均厚さが５０〜１００μｍ、それぞれの層の平均厚さ比が５：４〜２：１の積層体から形成されており、包装袋の内側に未延伸ポリプロピレン層が配置されてなる。このような構成を有する本発明の包装袋は、それほど良好なガスバリヤ性を有していない。一方、この包装袋に充填して密封されるハロゲンガス遊離性薬剤は、常温でわずかずつではあるがハロゲンガスを遊離するとの特性を有しており、良好なガスバリア性を有する包装袋に密閉封入すると包装袋内の内部ガス圧が経時的に高くなりやがてこの包装袋は破裂するが、本発明の包装袋は、内部ガス圧が一定以上になると、分子径などこの包装袋に有するガス透過性に応じて包装袋内部にあるガスが包装袋の壁面から放出され、包装袋内の内部圧力はある一定圧以上にはならない。従って、本発明の包装袋にハロゲンガス遊離性薬剤を充填して密封しても遊離したハロゲンガスに起因する包装袋内のガス圧の上昇によってはこの包装袋は破裂しない。また、この包装袋にハロゲンガス遊離性薬剤を充填し密封すると、遊離したハロゲンガスに起因して包装袋内の圧力が大気圧よりも高くなり、またこの包装袋を構成する積層体が疎水性を有する。また、内部圧が高くなることから大気中にある水分がこの包装袋内に浸入する可能性も少ない。
【００３７】
従って、本発明の包装袋を用いることにより、ハロゲンガス遊離性薬剤を小分けして少量ずつ安全に密封保存することができる。
また、本発明の包装ハロゲンガス遊離性薬剤は、一回に使用する量のハロゲンガス遊離性薬剤を上記のような包装袋に充填して密封しており、上述のようにこの包装袋が遊離したハロゲンガスに起因する内部圧力の上昇によって破裂することはなく安全に保存することができると共に、その用途を考慮してハロゲンガス遊離性薬剤が一回に使用する量づつ小分けされているので計量の手間が省け、非常に使用しやすい。また、ここで使用される包装袋は延伸フィルムを使用しているのでノッチからの切り裂き開封を容易に行うことができる。
【００３８】
また、このように一回に使用する量の薬剤が包装袋に安定に密閉されているので、この薬剤を携帯することが非常に容易になり、本発明の包装ハロゲンガス遊離性薬剤は、この薬剤を常用する人々にとって非常に有用性が高い。
【図面の簡単な説明】
【図１】図１は、本発明の包装袋を形成する積層体の断面の例を模式的に示す断面図である。
【図２】図２は、本発明の包装袋の例を模式的に示す斜視図である。
【図３】図３は、上記図２に示した包装袋のＡ−Ａ断面図である。
【図４】図４は、本発明の包装ハロゲンガス遊離薬剤の例を模式的に示す一部切欠き斜視図である。
【符号の説明】
１０・・・包装材料（積層体）
１２・・・未延伸ポリプロピレン層
１４・・・延伸ポリプロピレン層
１５・・・未延伸ポリプロピレン層の表面
２０・・・包装袋
２２・・・縁部
２４・・・縁部
２５a・・・一方の縁部
２５・・・開放部
２６・・・ノッチ
３０・・・包装ハロゲンガス遊離性薬剤
３２・・・印刷下地層
３４・・・印刷下地層を形成しない部分
４０・・・ハロゲンガス遊離性薬剤
【図１】
0004707815.tif 000002
【図２】
0004707815.tif 000003
【図３】
0004707815.tif 000004
【図４】
0004707815.tif 000005